(57)【要約】      （修正有）【課題】四足動物に対して動物用車椅子を容易に装着することができる動物用ハーネスを提供すること。【解決手段】犬Ｄの胴部に巻回される胴輪部１１と、胴輪部１１の周方向の長さを調整する胴輪調整部と、動物用車椅子１００に設けられた第１接続部１０８に着脱可能に接続される第１被接続部１３と、犬Ｄの胸部前面を覆う胸当て部１４と、犬Ｄの腹部に対向する連結部と、を有する前側パーツ１０と、犬Ｄの腰部に巻回される腰輪部２１と、腰輪部２１の周方向の長さを調整する腰輪調整部と、動物用車椅子１００に設けられた第２接続部１０９に着脱可能に接続される第２被接続部と、犬Ｄの後肢の付け根を支持する一対の脚支持部２４,２４と、連結部に対して前後方向の連結位置を変更可能に連結される被連結部と、を有する後側パーツ２０と、を備えた構成とした。【選択図】図１Ｂ
2018126097.tif 000002
【特許請求の範囲】
【請求項１】
四足動物に動物用車椅子を装着する際に用いる動物用ハーネスであって、
前記四足動物の胴部に巻回される胴輪部と、前記胴輪部に設けられて前記胴輪部の周方向の長さを調整する胴輪調整部と、前記動物用車椅子に設けられた第１接続部に着脱可能に接続される第１被接続部と、前記胴輪部に取り付けられて前記四足動物の胸部前面を覆う胸当て部と、前記胴輪部に形成されて前記四足動物の腹部に対向する連結部と、を有する前側パーツと、
前記四足動物の腰部に巻回される腰輪部と、前記腰輪部に設けられて前記腰輪部の周方向の長さを調整する腰輪調整部と、前記動物用車椅子に設けられた第２接続部に着脱可能に接続される第２被接続部と、前記腰輪部に取り付けられて前記四足動物の後肢の付け根を支持する一対の脚支持部と、前記腰輪部に形成されて前記四足動物の腹部に対向すると共に前記連結部に対して前後方向の連結位置を変更可能に連結される被連結部と、を有する後側パーツと、
を備えたことを特徴とする動物用ハーネス。
【請求項２】
請求項１に記載された動物用ハーネスにおいて、
前記胸当て部の前記胴輪部に対する取付位置は、前記胴輪部の周方向に変更可能である
ことを特徴とする動物用ハーネス。
【請求項３】
請求項１又は請求項２に記載された動物用ハーネスにおいて、
前記脚支持部の前記腰輪部に対する取付位置は、前記腰輪部の周方向に変更可能である
ことを特徴とする動物用ハーネス。
【請求項４】
請求項１から請求項３のいずれか一項に記載された動物用ハーネスにおいて、
前記脚支持部は、一端が前記腰輪部に固定されると共に前記後肢に巻回される紐部と、前記紐部の途中位置を前記腰輪部に固定する固定部と、前記紐部の途中位置に設けられて該紐部の一端から前記固定部までの長さを調整する長さ調整部と、を有する
ことを特徴とする動物用ハーネス。
【請求項５】
請求項１から請求項４のいずれか一項に記載された動物用ハーネスにおいて、
前記胴輪部は、着脱可能にリードが係合されるリード係合部を有する
ことを特徴とする動物用ハーネス。
【発明の詳細な説明】
【技術分野】
【０００１】
本発明は、四足動物に動物用車椅子を装着する際に用いる動物用ハーネスに関する発明である。
【背景技術】
【０００２】
従来、後肢の運動機能が不十分となった愛玩犬等の四足動物の歩行を補助する動物用車椅子（以下、「車椅子」という）を、四足動物に装着する際に用いるハーネスとして、予め車椅子に取り付けられた動物用ハーネスが知られている（例えば、特許文献１,特許文献２参照）。
【先行技術文献】
【特許文献】
【０００３】
【特許文献１】特許第５４６０９１６号
【特許文献２】特許第４３３５２３０号
【発明の概要】
【発明が解決しようとする課題】
【０００４】
しかしながら、従来の動物用ハーネスは、予め車椅子に取り付けられているため、ハーネスの動きが車椅子によって制限される。そのため、四足動物に装着するときのハーネス自由度が阻害され、四足動物にハーネスを装着しにくくなっている。また、ハーネスの装着状態の微調整については、四足動物に車椅子を装着した後で行う必要があるため、ハーネスの装着状態を調整しにくいという問題も生じる。この結果、従来の動物用ハーネスでは、四足動物に車椅子を容易に装着することができないという問題が生じる。
【０００５】
本発明は、上記問題に着目してなされたもので、四足動物に対して動物用車椅子を容易に装着することができる動物用ハーネスを提供することを目的とする。
【課題を解決するための手段】
【０００６】
上記目的を達成するため、本発明は、四足動物に動物用車椅子を装着する際に用いる動物用ハーネスであって、前側パーツと、後側パーツと、を備えている。
ここで、前側パーツは、四足動物の胴部に巻回される胴輪部と、胴輪部に設けられて胴輪部の周方向の長さを調整する胴輪調整部と、動物用車椅子に設けられた第１接続部に着脱可能に接続される第１被接続部と、胴輪部に取り付けられて四足動物の胸部前面を覆う胸当て部と、胴輪部に形成されて四足動物の腹部に対向する連結部と、を有している。
また、後側パーツは、四足動物の腰部に巻回される腰輪部と、腰輪部に設けられて腰輪部の周方向の長さを調整する腰輪調整部と、動物用車椅子に設けられた第２接続部に着脱可能に接続される第２被接続部と、腰輪部に取り付けられて四足動物の後肢の付け根を支持する一対の脚支持部と、腰輪部に形成されて四足動物の腹部に対向すると共に連結部に対して前後方向の連結位置を変更可能に連結される被連結部と、を有している。
【発明の効果】
【０００７】
この結果、四足動物に対して動物用車椅子を容易に装着することができる。
【図面の簡単な説明】
【０００８】
【図１Ａ】実施例１の動物用ハーネスを用いて犬に車椅子を装着した状態を前方から見たときの斜視図である。
【図１Ｂ】実施例１の動物用ハーネスを用いて犬に車椅子を装着した状態を後方から見たときの斜視図である。
【図２Ａ】動物用車椅子の第１接続部を拡大して示す斜視図である。
【図２Ｂ】動物用車椅子の第１接続部の分解斜視図である。
【図２Ｃ】動物用車椅子の第１接続部の断面図であり、（ａ）は第１被接続部の接続時の状態を示し、（ｂ）は第１被接続部の接続状態を示す。
【図３】実施例１の動物用ハーネスを犬に装着した状態を示す斜視図である。
【図４Ａ】実施例１の動物用ハーネスの前側パーツの表面側の展開状態平面図である。
【図４Ｂ】実施例１の動物用ハーネスの前側パーツの裏面側の展開状態平面図である。
【図５Ａ】実施例１の動物用ハーネスの後側パーツの表面側の展開状態平面図である。
【図５Ｂ】実施例１の動物用ハーネスの後側パーツの裏面側の展開状態平面図である。
【図６】実施例１の脚支持部を示す斜視図である。
【発明を実施するための形態】
【０００９】
以下、本発明の動物用ハーネスを実施するための形態を、図面に示す実施例１に基づいて説明する。
【００１０】
（実施例１）
まず、構成を説明する。
実施例１における動物用ハーネス１は、四足動物（ここでは、犬）に動物用車椅子１００を装着する際に使用するものである。以下、実施例１の動物用ハーネス１の構成を、「全体構成」、「前側パーツの詳細構成」、「後側パーツの詳細構成」に分けて説明する。
【００１１】
［全体構成］
図１Ａ及び図１Ｂは、実施例１の動物用ハーネスを使用して犬に車椅子を装着した状態を示す斜視図である。以下、図１Ａ,１Ｂに基づき、実施例１の動物用ハーネスの全体構成を説明する。
【００１２】
実施例１の動物用ハーネス１は、図１Ａ,１Ｂに示すように、犬（四足動物）Ｄに装着されてから動物用車椅子１００（以下、「車椅子」という）に連結されることで、犬Ｄに車椅子１００を装着するものである。
【００１３】
ここで、車椅子１００は、一対の水平フレーム１０１,１０２と、連結フレーム１０３と、一対の起立フレーム１０４,１０５と、を備えている。
一対の水平フレーム１０１,１０２は、長手方向が犬Ｄの前後方向に沿った状態で、犬Ｄの両側にそれぞれ配置される。各水平フレーム１０１,１０２は、テレスコピック機能を有しており、伸縮可能になっている。
連結フレーム１０３は、長手方向が犬Ｄの横幅に沿った状態で、一対の水平フレーム１０１,１０２の後端部同士を連結する。この連結フレーム１０３は、図１Ｂに示すように、一方の水平フレーム１０１に連結された断面コ字状の外側フレーム１０３ａと、他方の水平フレーム１０２に連結された断面コ字状の内側フレーム１０３ｂと、を有している。そして、開放面を前方に向けた外側フレーム１０３ａの内側に、開放面を前方に向けた状態で内側フレーム１０３ｂが収容され、この内側フレーム１０３ｂの収容長さを変更することで、連結フレーム１０３の長さが伸縮可能になっている。なお、外側フレーム１０３ａと内側フレーム１０３ｂとは、ネジＮ及び不図示のナットによって固定される。
一対の起立フレーム１０４,１０５は、一対の水平フレーム１０１,１０２にそれぞれ中間部が固定されると共に、下端部に車輪１０６が回転可能に取り付けられている。また、各起立フレーム１０４,１０５には、長手方向に並んだ多数の穴１０７が形成されており、水平フレーム１０１,１０２に設けられた突起部（図示せず）が多数の穴１０７のいずれかに挿入することで、起立フレーム１０４,１０５の高さ位置が設定される。
【００１４】
さらに、この車椅子１００の各水平フレーム１０１,１０２には、それぞれ第１接続部１０８と、第２接続部１０９と、が設けられている。ここで、第１接続部１０８は、第２接続部１０９よりも前側、つまり水平フレーム１０１,１０２の前端部近傍位置に設けられている。また、第２接続部１０９は、起立フレーム１０４,１０５の固定位置に設けられている。
【００１５】
第１接続部１０８は、動物用ハーネス１に設けられた第１被接続部１３が連結され、動物用ハーネス１を車椅子１００に対して接続する部分である。実施例１では、第１接続部１０８は、図２Ａ及び図２Ｂに示すように、本体部１０８ａと、保持部１０８ｂと、キャップ部１０８ｃと、を有している。なお、図２Ａ,図２Ｂでは、一方の水平フレーム１０１に設けた第１接続部１０８のみを示すが、他方の水平フレーム１０２に設けた第１接続部１０８も同一の構成である。
【００１６】
本体部１０８ａは、水平フレーム１０１のシャフト本体１０１ａの外側に嵌合された中空円筒体であり、外表面に第１被接続部１３の角カン１３ａが嵌められる溝状凹部１０８ｄが形成されている。ここで、溝状凹部１０８ｄは、本体部１０８ａの長手方向に延在された凹みであり、シャフト本体１０１ａに形成された凹部１０１ｂに嵌合すると共に、車椅子１００の内側に臨む。保持部１０８ｂは、本体部１０８ａの外周に回転可能に嵌められたＣ型チャンネル材である。この保持部１０８ｂは、切れ目１０８ｅに臨む一端から周方向の所定領域に、角カン１３ａに挿入可能な軸方向長さに設定された保持片１０８ｆが形成されている。キャップ部１０８ｃは、シャフト本体１０１ａに嵌合された本体部１０８ａの先端に嵌められ、キャップ部１０８ｃ、本体部１０８ａ、シャフト本体１０１ａを貫通するブラインドリベットＲによって上下方向から固定される。
そして、この第１接続部１０８では、図２Ｃ（ａ）に示すように、切れ目１０８ｅを介して溝状凹部１０８ｄに角カン１３ａを嵌めた後、図２Ｃ（ｂ）に示すように、保持部１０８ｂを回転させて保持片１０８ｆを角カン１３ａに挿入する。これにより、第１接続部１０８に第１被接続部１３が接続される。
なお、このとき、第１接続部１０８に対して、第１被接続部の高さ位置は、ほぼ同じ高さになるように設定される。
【００１７】
第２接続部１０９は、動物用ハーネス１に設けられた第２被接続部２３が連結され、動物用ハーネス１を車椅子１００に対して吊り下げる部分である。実施例１では、第２接続部１０９は、図１Ａに示すように、水平フレーム１０１に取り付けられたＤカン１０９ａと、Ｄカン１０９ａに連結されたナスカン１０９ｂと、を有している。
そして、この第２接続部１０９では、ナスカン１０９ｂを第２被接続部２３が有するＤカン２３ａに接続し、このナスカン１０９ｂに対して、Ｄカン２３ａの高さ位置を低い高さに設定することで、第２被接続部２３が吊り下げられる。
【００１８】
実施例１の動物用ハーネス１は、犬Ｄの胴部に装着されると共に第１被接続部１３が設けられた前側パーツ１０と、犬Ｄの腰部に装着されると共に第２被接続部２３が設けられた後側パーツ２０と、を備えている。
なお、「犬Ｄの胴部」とは、犬Ｄの前肢の脇の下から胸骨周りの部分である。また、「犬Ｄの腰部」とは、犬Ｄの股関節周り及び臀部の周囲部分である。
そして、前側パーツ１０と後側パーツ２０とは、前側パーツ１０が有する連結部１５と、後側パーツ２０が有する被連結部２５とを介して、着脱自在に連結される。
【００１９】
［前側パーツの詳細構成］
図３は実施例１の動物用ハーネスを犬に装着した状態を示す斜視図であり、図４Ａ及び図４Ｂは実施例１の動物用ハーネスの前側パーツの展開状態の平面図である。以下、図３〜図４Ｂに基づき、実施例１の前側パーツの詳細構成を説明する。
【００２０】
実施例１の前側パーツ１０は、図４Ａ及び図４Ｂに示すように、胴輪部１１と、胴輪調整部１２と、第１被接続部１３と、胸当て部１４と、連結部１５と、を有している
【００２１】
胴輪部１１は、伸縮性のほとんどない布材によって形成された帯状部材であり、動物用ハーネス１の使用時に犬Ｄの胴部に巻回される（図３参照）。ここで、胴輪部１１は、通気性の高い材質からなる第１層１１ａと、耐摩耗性の高い材質からなる第２層１１ｂとを重ね合わせた二層構造の布材によって形成され、犬Ｄに装着した際、第１層１１ａが内側になり、第２層１１ｂが外側になる。
また、この胴輪部１１は、長手方向中央部が犬Ｄの腹部に対向し、犬Ｄの背部側で長手方向の両端部が係合されて環状になることで犬Ｄに装着される（図３参照）。
【００２２】
胴輪調整部１２は、胴輪部１１の周方向の長さを調整しながら、胴輪部１１の長手方向の両端部を係合固定する部分であり、ここでは胴輪部１１に設けられた面ファスナーによって構成されている。すなわち、この胴輪調整部１２は、胴輪部１１の長手方向の一端に設けられた第１ファスナー１２ａと、胴輪部１１の長手方向の他端に設けられ、第１ファスナー１２ａに着脱自在に貼り付け可能な第２ファスナー１２ｂと、を有している。ここで、第１ファスナー１２ａは、胴輪部１１の内側面（第１層１１ａ）に縫い付けられている（図４Ｂ参照）。一方、第２ファスナー１２ｂは、胴輪部１１の外側面（第２層１１ｂ）に縫い付けられている（図４Ａ参照）。また、第２ファスナー１２ｂは、胴輪部１１の長手方向に沿って延びた帯状に形成され、第１ファスナー１２ａの係止位置を胴輪部１１の長手方向に変更可能になっている。
【００２３】
第１被接続部１３は、胴輪部１１に設けられ、車椅子１００に設けられた第１接続部１０８に着脱可能に接続される部分である。ここでは、第１被接続部１３は、保持部１０８ｂに保持される角カン１３ａと、角カン１３ａに挿入されると共に胸当て部１４の長手方向端部に縫い付け固定された布片１３ｂと、を有している。これにより、角カン１３ａは、上下方向に揺動可能となる。また、この第１被接続部１３は、胴輪部１１の表面に一対設けられており、犬Ｄに装着して胴輪部１１が環状になったときに犬Ｄの両側部に一つずつ配置される（図３参照）。
【００２４】
胸当て部１４は、胴輪部１１に着脱可能に取り付けられて、犬Ｄの胸部前面を覆う部分である。この胸当て部１４は、通気性を有する布材によって形成された帯状部材からなり、長手方向の両端部にそれぞれ設けられた第１スナップボタン１４ａと、胴輪部１１の両端にそれぞれ設けられた第２スナップボタン１４ｂと、を有している。そして、第１,第２スナップボタン１４ａ,１４ｂが係合することで胴輪部１１に取り付けられる。また、第２スナップボタン１４ｂは、胴輪部１１の長手方向に沿って複数（ここでは３個ずつ）設けられており、係合する第２スナップボタン１４ｂを異ならせることで、第１スナップボタン１４ａの係合位置を胴輪部１１の長手方向に変更可能になっている。
【００２５】
連結部１５は、胴輪部１１に形成されて犬Ｄの腹部に対向すると共に、腰輪部２１に形成された被連結部２５が着脱可能に連結される部分である。この連結部１５は、胴輪部１１の幅方向中央部から犬Ｄの後方へと延在した後方延長部１５ａと、この後方延長部１５ａの内側面（第１層１１ａ）に縫い付けられた面ファスナーの一方側である第３ファスナー１５ｂと、を有している。
【００２６】
リード係合部１６は、胴輪部１１に設けられ、図示しないリード（引き綱）が着脱可能に係合される部分である。このリード係合部１６は、両端が胴輪部１１の外側面（第２層１１ｂ）に固定されたベルト１６ａと、ベルト１６ａが挿通されたリング１６ｂと、ベルト１６ａの途中に設けられたサイドリリースバックル１６ｃと、リング１６ｂごとベルト１６ａが挿通されたスライダー１６ｄと、を有している。
このリード係合部１６では、サイドリリースバックル１６ｃを外すことでベルト１６ａが二つに分割し、胴輪部１１を展開可能とする。
【００２７】
［後側パーツの詳細構成］
図５Ａ,５Ｂは実施例１の動物用ハーネスの後側パーツの展開状態の平面図であり、図６は実施例１の脚支持部を示す斜視図である。以下、図５Ａ〜図６に基づき、実施例１の後側パーツの詳細構成を説明する。
【００２８】
実施例１の後側パーツ２０は、図５Ａ及び図５Ｂに示すように、腰輪部２１と、腰輪調整部２２と、第２被接続部２３と、一対の脚支持部２４,２４と、被連結部２５と、を備えている。
【００２９】
腰輪部２１は、伸縮性のほとんどない布材によって形成された帯状部材であり、動物用ハーネス１の使用時に犬Ｄの腰部に巻回される。ここで、腰輪部２１は、通気性の高い材質からなる第１層２１ａと、耐摩耗性の高い材質からなる第２層２１ｂとを重ね合わせた二層構造の布材によって形成され、犬Ｄに装着した際、第１層２１ａが内側になり、第２層２１ｂが外側になる。
また、この腰輪部２１は、長手方向中央部が犬Ｄの腹部に対向し、犬Ｄの背部側で長手方向の両端部が係合されて環状になることで犬Ｄに装着される。なお、長手方向中央部には、犬Ｄの前側（頭部側）に向かって延びる切欠部２１ｃが形成されている。
【００３０】
腰輪調整部２２は、腰輪部２１の周方向の長さを調整しながら、腰輪部２１の長手方向の両端部を係合固定する部分であり、ここでは腰輪部２１に設けられた面ファスナーによって構成されている。すなわち、この腰輪調整部２２は、図４に示すように、腰輪部２１の長手方向の一端に設けられた第４ファスナー２２ａと、腰輪部２１の長手方向の他端に設けられ、第４ファスナー２２ａに着脱自在に貼り付け可能な第５ファスナー２２ｂと、を有している。ここで、第４ファスナー２２ａは、腰輪部２１の内側面（第１層２１ａ）に縫い付けられている。一方、第５ファスナー２２ｂは、腰輪部２１の外側面（第２層２１ｂ）に縫い付けられている。また、第５ファスナー２２ｂは、腰輪部２１の長手方向に沿って延びた帯状に形成されている。
【００３１】
第２被接続部２３は、腰輪部２１に設けられ、車椅子１００に設けられた第２接続部１０９に着脱可能に吊り下げられる部分である。ここでは、第２被接続部２３は、ナスカン１０９ｂが連結されるＤカン２３ａと、このＤカン２３ａに挿通されると共に腰輪部２１の外側面（第２層２１ｂ）に縫い付け固定される布片２３ｂと、を有している。これにより、Ｄカン２３ａは、上下方向に揺動可能となる。また、この第２被接続部２３は、腰輪部２１の表面に一対設けられており、犬Ｄに装着して腰輪部２１が環状になったときに犬Ｄの両側部に一つずつ配置される（図３参照）。
【００３２】
一対の脚支持部２４,２４は、腰輪部２１に取り付けられて、犬Ｄの後肢の付け根をそれぞれ支持する部分である。各脚支持部２４は、後肢の内側に巻回される紐部２４ａと、紐部２４ａの途中位置を腰輪部２１に固定する固定部２４ｂと、紐部２４ａの途中位置に設けられた長さ調整部２４ｃと、を有している。
ここでは、紐部２４ａは、通気性及を有する布材で綿等の弾性体を包み込み、紐状に成形されることで形成されている。また、この紐部２４ａは、一端２４αが腰輪部２１に形成された切欠部２１ｃの周縁に固定されている（図５Ａ参照）。
固定部２４ｂは、図６に示すように、長さ調整部２４ｃである移動カンに取り付けられた布片２４ｄと、この布片２４ｄに設けられた第１スナップボタン２４ｅと、腰輪部２１に設けられた第２スナップボタン２４ｆと、で構成されている。すなわち、第１,第２スナップボタン２４ｅ,２４ｆが係合することで、紐部２４ａの途中位置が腰輪部２１に固定される。なお、第２スナップボタン２４ｆは、腰輪部２１の長手方向に沿って複数（ここでは３個）設けられており、係合する第２スナップボタン２４ｆを異ならせることで、第１スナップボタン２４ｅの係合位置を腰輪部２１の長手方向に変更可能になっている。
長さ調整部２４ｃは、紐部２４ａが挿通された移動カンによって構成され、この紐部２４ａの腰輪部２１に固定された一端２４αから固定部２４ｂまでの長さを調整可能にしている。
【００３３】
被連結部２５は、腰輪部２１に形成されて犬Ｄの腹部に対向すると共に、胴輪部１１に形成された連結部１５が着脱可能に連結される部分である。この被連結部２５は、腰輪部２１の幅方向中央部から犬Ｄの前方へと延在した前方延長部２５ａと、この前方延長部２５ａの外側面（第２層２１ｂ）に縫い付けられた面ファスナーの他方側である第６ファスナー２５ｂと、を有している。
【００３４】
次に、作用を説明する。
まず、実施例１の動物用ハーネス１の使用手順を説明し、続いて、実施例１の動物用ハーネスの作用を「車椅子の装着容易化作用」と、「その他の特徴的作用」に分けて説明する。
【００３５】
［ハーネス使用手順］
実施例１の動物用ハーネス１を使用して、犬Ｄに車椅子１００を装着するには、予め動物用ハーネス１を犬Ｄに装着する。すなわち、まず、前側パーツ１０の連結部１５の後方延長部１５ａを、後側パーツ２０の被連結部２５の前方延長部２５ａに重ね合わせ、第６ファスナー２５ｂに第３ファスナー１５ｂを貼り付けて係止し、前側パーツ１０と後側パーツ２０を連結する。このとき、犬Ｄの体長に合わせて、被連結部２５に対する連結部１５の係合位置を調整し、前側パーツ１０及び後側パーツ２０が適切な位置に装着されるようにする。また、前側パーツ１０の胴輪部１１及び後側パーツ２０の腰輪部２１をそれぞれ展開状態にしておく。さらに、リード係合部１６のサイドリリースバックル１６ｃは外しておく。さらに、胸当て部１４も、前側パーツ１０の胴輪部１１から外しておく。
【００３６】
前側パーツ１０と後側パーツ２０を連結したら、動物用ハーネス１の前後方向を確認した後、この動物用ハーネス１を犬Ｄの腹部下方に差し込む。このとき、連結部１５及び被連結部２５が腹部に対向するように調整する。そして、腰輪部２１の両端部を犬Ｄの背部側へと回して、この腰輪部２１を犬Ｄの身体に沿うように巻回する。そして、腰輪調整部２２の第４ファスナー２２ａを第５ファスナー２２ｂに貼り付けて係止し、腰輪部２１を犬Ｄに装着する。なお、このとき、犬Ｄの局部が腰輪部２１に形成された切欠部２１ｃの内側に対向するように、腰輪部２１の周方向位置及び前後方向位置を調整する。
【００３７】
腰輪部２１を装着したら、続いて、胴輪部１１の両端部を犬Ｄの背部側へと回して、この胴輪部１１を犬Ｄの身体に沿うように巻回する。そして、胴輪調整部１２の第１ファスナー１２ａを第２ファスナー１２ｂに貼り付けて係止し、胴輪部１１を犬Ｄに装着する。その後、リード係合部１６のサイドリリースバックル１６ｃを締結する。
【００３８】
胴輪部１１及び腰輪部２１を装着したら、一対の脚支持部２４,２４のそれぞれの紐部２４ａを、犬Ｄの後肢の股下を通し、犬Ｄの後側に引き出してから固定部２４ｂの第１スナップボタン２４ｅを、腰輪部２１に設けられた第２スナップボタン２４ｆに係合する。これにより、紐部２４ａの途中位置が腰輪部２１に固定される。その後、長さ調整部２４ｃからの紐部２４ａの引き出し長さを変更することで、紐部２４ａの一端２４αから固定部２４ｂまでの長さを調整し、紐部２４ａを犬Ｄの後肢の付け根に緩みなく接触させる。
【００３９】
一対の紐部２４ａの長さをそれぞれ調整したら、胸当て部１４を犬Ｄの胸部前面に押し当て、両端部にそれぞれ設けられた第１スナップボタン１４ａを、胴輪部１１に設けられた第２スナップボタン１４ｂに係合する。
【００４０】
これにより、動物用ハーネス１が犬Ｄに装着される。そして、動物用ハーネス１を犬Ｄに装着したら、この犬Ｄを車椅子１００の内側、つまり、一対の水平フレーム１０１,１０２と連結フレーム１０３によって囲まれた領域に配置する。このとき、一対の水平フレーム１０１,１０２の間に犬Ｄが入れるように、予め連結フレーム１０３の長さを調整する。
【００４１】
そして、犬Ｄを車椅子１００の内側に配置したら、水平フレーム１０１,１０２にそれぞれ設けられた第２接続部１０９のナスカン１０９ｂを、腰輪部２１の両側部に設けられた第２被接続部２３のＤカン２３ａに係合する。これにより、第２被接続部２３が第２接続部１０９によって吊り下げられ、後側パーツ２０が装着された犬Ｄの後肢が、車椅子１００に吊り下げられる。
なお、このとき、犬Ｄの後肢が適切な高さに吊り下げられるように、起立フレーム１０４,１０５に対する一対の水平フレーム１０１,１０２の固定高さを調整する。この水平フレーム１０１,１０２の高さ調整は、第２被接続部２３を第２接続部１０９に連結する前であってもよいし、第２被接続部２３を吊り下げた後であってもよい。
【００４２】
その後、水平フレーム１０１,１０２にそれぞれ設けられた第１接続部１０８の溝状凹部１０８ｄに、前側パーツ１０に設けられた第１被接続部１３の角カン１３ａを嵌め込む。そして、保持部１０８ｂを回転させて保持片１０８ｆを角カン１３ａに挿入し、この角カン１３ａを保持する。これにより、第１被接続部１３と第１接続部１０８とが接続され、前側パーツ１０が装着された犬Ｄに車椅子１００が固定される。
なお、このとき、第１接続部１０８と第１被接続部１３との前後位置の関係が適切な状態、すなわち、第１接続部１０８と第１被接続部１３とが犬Ｄの幅方向に沿って対向した状態になるように、一対の水平フレーム１０１,１０２の長さを調整する。この水平フレーム１０１,１０２の長さ調整は、第１被接続部１３を接続する前に行う。
【００４３】
［車椅子の装着容易化作用］
上述のように、実施例１では、犬Ｄに車椅子１００を装着するには、予め動物用ハーネス１を犬Ｄに装着し、その後、この動物用ハーネス１に設けられた第１被接続部１３及び第２被接続部２３を車椅子１００に連結する。つまり、この実施例１の動物用ハーネス１は、車椅子１００に対して着脱可能になっている。
そのため、この動物用ハーネス１を犬Ｄに装着する際に、動物用ハーネス１の動きが車椅子１００によって制限されることがなく、ハーネス装着時のハーネス自由度が阻害されない。これにより、この動物用ハーネス１を犬Ｄに容易に装着することができる。
【００４４】
そして、第１被接続部１３及び第２被接続部２３を車椅子１００に設けた第１接続部１０８及び第２接続部１０９にそれぞれ取り付ければ、車椅子１００に対して動物用ハーネス１を連結することができ、犬Ｄに対して車椅子１００を容易に装着することができる。
【００４５】
また、上述のように、実施例１では、予め動物用ハーネス１を犬Ｄに装着してから、この動物用ハーネス１を車椅子１００に連結して、犬Ｄに車椅子１００を装着する。
ここで、犬Ｄは、腰輪部２１を介して車椅子１００に吊り下げられるため、犬Ｄの腰部に対して腰輪部２１を隙間なく装着する必要がある。一方、腰輪部２１をきつく締めすぎると犬Ｄの腹部が圧迫されてしまう。つまり、腰輪部２１は、犬Ｄの腹部を圧迫しない状態で隙間なく装着されなければならない。
【００４６】
また、車椅子１００は、胴輪部１１を介して犬Ｄによって引っ張られる。つまり、車椅子１００の荷重は、胴輪部１１から犬Ｄに伝わる。そのため、犬Ｄと胴輪部１１との間に不要な隙間が生じていると、車椅子１００を引っ張った際に胴輪部１１がずれてしまい、車椅子１００が不安定になり、犬Ｄに不要な負担がかかることが懸念される。なお、胴輪部１１をきつく締めすぎれば、腰輪部２１と同様に犬Ｄの腹部が圧迫されてしまう。
【００４７】
さらに、犬Ｄは、犬種や個体に応じて体格に大きな差がある。つまり、犬Ｄの体長（胸部から臀部までの長さ）は、犬Ｄに応じて大きく異なる。そのため、前側パーツ１０と後側パーツ２０とを一体に形成した場合では、胴輪部１１や腰輪部２１を適切な位置に装着することができない。一方、前側パーツ１０と後側パーツ２０とが常時分離している場合では、動物用ハーネス１を車椅子１００に連結したときに、犬Ｄを安定して支持することが難しいという問題が生じる。
【００４８】
これに対し、実施例１の動物用ハーネス１では、前側パーツ１０の胴輪部１１は、胴輪調整部１２が設けられている。この胴輪調整部１２では、第２ファスナー１２ｂが胴輪部１１の長手方向に延びているため、第１ファスナー１２ａの係止位置を胴輪部１１の長手方向に変更可能になっている。そして、第１ファスナー１２ａの係止位置を調整することで、胴輪部１１の周方向長さを調整することができる。
また、後側パーツ２０の腰輪部２１には、第５ファスナー２２ｂが腰輪部２１の長手方向に延びた腰輪調整部２２が設けられ、第４ファスナー２２ａの係止位置を腰輪部２１の長手方向に沿って調整することで、腰輪部２１の周方向長さを調整することができる。
【００４９】
そのため、犬Ｄの胴回り寸法に応じて、胴輪部１１及び腰輪部２１の周方向長さを適切な長さに設定することができ、胴輪部１１及び腰輪部２１をそれぞれ適切な状態に装着することができる。
特に、この実施例１では、胴輪調整部１２及び腰輪調整部２２が、いずれも面ファスナーによって構成されている。そのため、胴輪部１１及び腰輪部２１の周方向長さを少しずつ調整することができる。
【００５０】
また、前側パーツ１０と後側パーツ２０とは、連結部１５及び被連結部２５を介して着脱可能に連結されると共に、被連結部２５が有する第６ファスナー２５ｂが犬Ｄの前後方向に延びている。そして、連結部１５の第３ファスナー１５ｂの係止位置を犬Ｄの前後方向に沿って調整することで、犬Ｄの体長寸法に応じて、前側パーツ１０と後側パーツ２０との間隔を適切な長さに調整することができる。これにより、前側パーツ１０及び後側パーツ２０を適切な状態に装着することができる。
特に、この実施例１では、連結部１５及び被連結部２５が、いずれも面ファスナーである第３ファスナー１５ｂと第６ファスナー２５ｂとを有している。そのため、前側パーツ１０と後側パーツ２０との間隔を少しずつ調整することができる。
【００５１】
そして、このように車椅子１００を犬Ｄに装着する前に、予め動物用ハーネス１の装着状態を適切な状態に調整することができるので、車椅子１００を犬Ｄに装着した後でハーネス装着状態を調整する必要がない。この結果、犬Ｄに対して車椅子１００を容易に装着することができる。
【００５２】
なお、連結部１５及び被連結部２５は、犬Ｄの腹部に対向する位置に設けられている。そのため、この連結部１５及び被連結部２５によって、犬Ｄの腹部を支えることができ、車椅子１００を安定して犬Ｄに装着することができる。
【００５３】
また、実施例１の動物用ハーネス１では、胴輪部１１に設けられた第２スナップボタン１４ｂが、胴輪部１１の長手方向に沿って複数（３個）設けられている。そのため、胸当て部１４の両端部に設けられた第１スナップボタン１４ａが係合する第２スナップボタン１４ｂを変えることで、胸当て部１４の胴輪部１１に対する取付位置が、環状になった胴輪部１１の周方向に変更できる。
これにより、犬Ｄの体格に応じて胸当て部１４の位置を適切に調整することができ、動物用ハーネス１を適切な状態に装着することができる。
【００５４】
さらに、この実施例１では、腰輪部２１に設けられた第２スナップボタン２４ｆが、腰輪部２１の長手方向に沿って複数（３個）設けられている。そのため、脚支持部２４の固定部２４ｂが有する第１スナップボタン２４ｅが係合する第２スナップボタン２４ｆを変えることで、脚支持部２４の紐部２４ａの腰輪部２１に対する取付位置が、環状になった腰輪部２１の周方向に変更できる。
これにより、犬Ｄの体格に応じて脚支持部２４の位置を適切に調整することができ、動物用ハーネス１を適切な状態に装着することができる。
【００５５】
特に、この実施例１では、脚支持部２４が、一端２４αが腰輪部２１に固定された紐部２４ａと、紐部２４ａの途中位置を腰輪部２１に固定する固定部２４ｂと、紐部２４ａの一端２４αから固定部２４ｂまでの長さを調整する長さ調整部２４ｃと、を有している。
そのため、上述のように、固定部２４ｂを腰輪部２１に固定し、紐部２４ａを犬Ｄの後肢に巻回した後に紐部２４ａの一端２４αから固定部２４ｂまでの長さを調整し、紐部２４ａを犬Ｄの後肢の付け根に緩みなく接触させることができる。
【００５６】
これにより、犬Ｄが後側パーツ２０の装着途中で動いた場合であっても、紐部２４ａが後肢から外れにくく、速やかに脚支持部２４の装着を行うことができる。
【００５７】
［その他の特徴的作用］
実施例１の動物用ハーネス１では、図３に示すように、胴輪部１１に、着脱可能にリード（引き綱）が係合されるリード係合部１６が設けられている。
そのため、車椅子１００を装着した犬Ｄにリードを取り付ける際、動物用ハーネス１とは別に首輪や胴輪等を装着する必要がない。また、リード係合部１６が胴輪部１１に設けられていることで、犬Ｄの首に負担がかかることを防止できる。
【００５８】
また、この実施例１の動物用ハーネス１は、胴輪部１１に一対の第１被接続部１３が設けられ、腰輪部２１に一対の第２被接続部２３が設けられており、車椅子１００に対して４点支持によって犬Ｄを支えることができる。また、胴輪部１１及び腰輪部２１によって犬Ｄを支えるため、首輪を用いる場合と比べて大きな面積で犬Ｄの体を支えることができる。このため、動物用ハーネス１と犬Ｄとの間に生じる擦れを少なくして、犬Ｄの負担を軽減することができる。
【００５９】
次に、効果を説明する。
実施例１の動物用ハーネス１にあっては、下記に列挙する効果を得ることができる。
【００６０】
(1) 四足動物（犬Ｄ）に動物用車椅子１００を装着する際に用いる動物用ハーネス１であって、
前記四足動物（犬Ｄ）の胴部に巻回される胴輪部１１と、前記胴輪部１１に設けられて前記胴輪部１１の周方向の長さを調整する胴輪調整部１２と、前記動物用車椅子１００に設けられた第１接続部１０８に着脱可能に接続される第１被接続部１３と、前記胴輪部１１に取り付けられて前記四足動物（犬Ｄ）の胸部前面を覆う胸当て部１４と、前記胴輪部１１に形成されて前記四足動物（犬Ｄ）の腹部に対向する連結部１５と、を有する前側パーツ１０と、
前記四足動物（犬Ｄ）の腰部に巻回される腰輪部２１と、前記腰輪部２１に設けられて前記腰輪部２１の周方向の長さを調整する腰輪調整部２２と、前記動物用車椅子１００に設けられた第２接続部１０９に着脱可能に接続される第２被接続部２３と、前記腰輪部２１に取り付けられて前記四足動物（犬Ｄ）の後肢の付け根を支持する一対の脚支持部２４,２４と、前記腰輪部２１に形成されて前記四足動物（犬Ｄ）の腹部に対向すると共に前記連結部１５に対して前後方向の連結位置を変更可能に連結される被連結部２５と、を有する後側パーツ２０と、
を備えた構成とした。
これにより、四足動物である犬Ｄに対して動物用車椅子１００を容易に装着することができる。
【００６１】
(2) 前記胸当て部１４の前記胴輪部１１に対する取付位置は、前記胴輪部１１の周方向に変更可能である構成とした。
これにより、(1)の効果に加え、犬Ｄの体格に応じて胸当て部１４の位置を適切に調整することができ、動物用ハーネス１を適切な状態に装着することができる。
【００６２】
(3) 前記脚支持部２４の前記腰輪部２１に対する取付位置は、前記腰輪部２１の周方向に変更可能である構成とした。
これにより、(1)又は(2)の効果に加え、犬Ｄの体格に応じて脚支持部２４の位置を適切に調整することができ、動物用ハーネス１を適切な状態に装着することができる。
【００６３】
(4) 前記脚支持部２４は、一端２４αが前記腰輪部２１に固定されると共に前記後肢に巻回される紐部２４ａと、前記紐部２４ａの途中位置を前記腰輪部２１に固定する固定部２４ｂと、前記紐部２４ａの途中位置に設けられて該紐部２４ａの一端２４αから前記固定部２４ｂまでの長さを調整する長さ調整部２４ｃと、を有する構成とした。
これにより、(1)〜(3)のいずれかの効果に加え、紐部２４ａを犬Ｄの後肢に巻回した後に紐部２４ａの一端２４αから固定部２４ｂまでの長さを調整することができ、犬Ｄが後側パーツ２０の装着途中で動いても、速やかに脚支持部２４の装着を行うことができる。
【００６４】
(5) 前記胴輪部１１は、着脱可能にリードが係合されるリード係合部１６を有する構成とした。
これにより、(1)〜(4)のいずれかの効果に加え、車椅子１００を装着した犬Ｄにリードを取り付ける際、動物用ハーネス１とは別に首輪や胴輪等を装着する必要がない。
【００６５】
以上、本発明の動物用ハーネスを実施例１に基づいて説明してきたが、具体的な構成については、この実施例に限られるものではなく、特許請求の範囲の各請求項に係る発明の要旨を逸脱しない限り、設計の変更や追加等は許容される。
【００６６】
実施例１では、胴輪調整部１２及び腰輪調整部２２を面ファスナーによって構成すると共に、連結部１５及び被連結部２５が面ファスナーを有する例を示した。しかしながら、これに限らず、胴輪部１１や腰輪部２１の周方向長さや、前側パーツ１０と後側パーツ２０と間隔寸法を調整しながら係合することができればよい。そのため、例えばメス側又はオス側の一方を複数設けたスナップボタンや、カギホック、或いはベルトとバックルからなる連結構造等によって胴輪調整部１２等を構成してもよい。
【００６７】
また、実施例１では、胸当て部１４を胴輪部１１に取り付ける構成として、第１,第２スナップボタン１４ａ,１４ｂを係合させる例を示した。しかしながら、これに限らず、面ファスナーやカギホック、スプリングホック等を介して、胴輪部１１に胸当て部１４を着脱可能に取り付けるようにしてもよい。
【００６８】
さらに、一対の脚支持部２４,２４を腰輪部２１に固定する構造についても、面ファスナーやカギホック、スプリングホック等を介して、腰輪部２１に脚支持部２４,２４を着脱可能に取り付けるようにしてもよい。
【００６９】
そして、リード係合部１６については、この動物用ハーネス１に設けなくてもよい。この場合には、犬Ｄに動物用ハーネス１とは別に首輪や胴輪を装着することが可能である。
【００７０】
また、実施例１では、動物用ハーネス１を２輪の動物用車椅子１００に適用する例を示したが、これに限らない。例えば前後左右に４個の車輪を配置した４輪の動物用車椅子や、それ以上の数の車輪を有する多輪車椅子であっても、適用することができる。さらに、第１被接続部１３や第２被接続部２３の数についても、適宜増やしてもよい。
【００７１】
また、実施例１では、車椅子１００に設けられた第１接続部１０８に対して、第１被接続部１３の高さ位置をほぼ同じ高さに設定し、車椅子１００に設けられた第２接続部１０９に対して、第２被接続部２３の高さ位置を低い高さに設定して、第２接続部１０９にて第２被接続部２３を吊り下げ支持する例を示した。しかしながら、これに限らず、特に４輪以上の多輪車椅子にこの動物用ハーネス１を適用する場合では、第１接続部１０８に対して、第１被接続部１３の高さ位置を低い高さに設定して、第１接続部１０８にて第１被接続部１３を吊り下げ支持してもよい。
つまり、第１被接続部１３及び第２被接続部２３は、いずれも車椅子１００に対して接続するだけでもよいし、吊り下げ支持されてもよい。
【００７２】
そして、第１被接続部１３及び第２被接続部２３を利用して、動物用ハーネス１に取っ手が設けられた歩行補助用のハーネスを取り付ければ、犬Ｄの体をカバンのように持ち上げて歩行を介助したり、起き上がるときの補助を行ったりすることもできる。
【００７３】
また、実施例１では、四足動物として犬Ｄに動物用ハーネス１を装着する例を示したが、これに限らない。例えば猫や豚等の四足歩行の動物であれば使用することができる。
【符号の説明】
【００７４】
１  動物用ハーネス
１０  前側パーツ
１１  胴輪部
１２  胴輪調整部
１３  第１被接続部
１４  胸当て部
１５  連結部
２０  後側パーツ
２１  腰輪部
２２  腰輪調整部
２３  第２被接続部
２４  脚支持部
２５  被連結部
１００  車椅子
１０８  第１接続部
１０９  第２接続部
【図１Ａ】
2018126097.tif 000003
【図１Ｂ】
2018126097.tif 000004
【図２Ａ】
2018126097.tif 000005
【図２Ｂ】
2018126097.tif 000006
【図２Ｃ】
2018126097.tif 000007
【図３】
2018126097.tif 000008
【図４Ａ】
2018126097.tif 000009
【図４Ｂ】
2018126097.tif 000010
【図５Ａ】
2018126097.tif 000011
【図５Ｂ】
2018126097.tif 000012
【図６】
2018126097.tif 000013